(57)【要約】【課題】運転される室内機の容量がある一定以下の場合、条件を満たせば、該当する室内機を早めにサーモオフ（停止）させ、他室への快適性への影響を回避する。【解決手段】定格冷凍能力が設定されている室内機容量設定装置と、吸込み温度を検出する室内吸込み温度検知装置と、運転モード設定装置で設定した設定温度を記憶する運転モード記憶装置とを備え、室内吸込み温度検知装置で検知される温度と運転モード記憶装置で記憶されている設定温度との差温が、所定の温度差である場合に圧縮機を停止するとともに、室内吸込み温度検知装置で検知する温度と室内機容量設定装置に設定されている定格冷凍能力とに基づいて、所定の温度差を変更する。【選択図】図１
2011257097.tif 000002
【特許請求の範囲】
【請求項１】
圧縮機、室外熱交換器、室外送風機、四方弁を有する室外機と、室内熱交換器、室内送風機を有する室内機とを接続し、前記室内機は複数台並列に接続され、前記室外機の冷媒液管から前記室内熱交換器の間に電動膨張弁を介装して冷凍サイクルを構成する多室型空気調和装置であって、定格冷凍能力が設定されている室内機容量設定装置と、吸込み温度を検出する室内吸込み温度検知装置と、運転モード設定装置で設定した設定温度を記憶する運転モード記憶装置とを備え、前記室内吸込み温度検知装置で検知される温度と前記運転モード記憶装置で記憶されている設定温度との差温が、所定の温度差である場合に前記圧縮機を停止するとともに、前記室内吸込み温度検知装置で検知する温度と前記室内機容量設定装置に設定されている定格冷凍能力とに基づいて、前記所定の温度差を変更することを特徴とする多室型空気調和装置。
【発明の詳細な説明】
【技術分野】
【０００１】
本発明は、１台の室外機に複数台の室内機を接続する多室型空気調和装置に関するものである。
【背景技術】
【０００２】
従来の空気調和機では、暖房運転時において、圧縮機の保護の目的で、室内機の熱交換器温度がある設置値を超えると圧縮機の運転周波数を低下させるように制御されている（例えば、特許文献１参照）。
【先行技術文献】
【特許文献】
【０００３】
【特許文献１】特開昭５９−１１９１４９号公報
【発明の概要】
【発明が解決しようとする課題】
【０００４】
しかしながら、接続されている室内機のうち極端に室内熱交換器容量（熱交換器能力）の小さなものが存在した場合、この室内機の影響で暖房運転中の負荷変更時（運転開始や風量変化や設定温度変更時）に室内熱交換器温度(圧縮機高圧)が一時的に上昇し、この影響で圧縮機周波数が低下するように制御するため、他室で運転中の室内機の能力も同時に減少し、快適性を低下させる原因になっていた。
【０００５】
本発明は、運転される室内機の容量（冷房呼称能力）がある一定以下の場合、室内吸込み温度とリモコンの設定温度との差温が小さく、かつ室内吸い込み温度が比較的高い場合に限り、該当室内機を早めにサーモオフ（停止）させ、他室への快適性への影響を回避することができる多室型空気調和装置を提供することを目的とする。
【課題を解決するための手段】
【０００６】
前記従来の課題を解決するために、本発明の多室型空気調和装置は、圧縮機、室外熱交換器、室外送風機、四方弁を有する室外機と、室内熱交換器、室内送風機を有する室内機とを接続し、室内機は複数台並列に接続され、室外機の冷媒液管から室内熱交換器の間に電動膨張弁を介装して冷凍サイクルを構成する多室型空気調和装置であって、定格冷凍能力が設定されている室内機容量設定装置と、吸込み温度を検出する室内吸込み温度検知装置と、運転モード設定装置で設定した設定温度を記憶する運転モード記憶装置とを備え、室内吸込み温度検知装置で検知される温度と運転モード記憶装置で記憶されている設定温度との差温が、所定の温度差である場合に圧縮機を停止するとともに、室内吸込み温度検知装置で検知する温度と室内機容量設定装置に設定されている定格冷凍能力とに基づいて、所定の温度差を変更することにより、室内温度が比較的高くかつ高圧が上がりやすい状態の室内機を快適性に影響にない範囲内で優先的に停止し、他室の快適性の影響を回避することが可能となり、機器の快適性が向上する。
【発明の効果】
【０００７】
本発明は、運転される室内機の容量（冷房呼称能力）がある一定以下の場合、室内吸込み温度とリモコンの設定温度との差温が小さく、かつ室内吸い込み温度が比較的高い場合に限り、該当室内機を早めにサーモオフ（停止）させ、他室への快適性への影響を回避することができる多室型空気調和装置を提供することができる。
【図面の簡単な説明】
【０００８】
【図１】本発明の実施の形態１における冷凍サイクル図
【図２】同実施の形態１における制御ブロック図
【図３】同実施の形態１におけるフローチャート図
【図４】同実施の形態１における設定温度との差温と差温信号との関係を示す図
【図５】同実施の形態１における同空気調和装置のサーモオフ点を示す図
【発明を実施するための形態】
【０００９】
第１の発明の多室型空気調和装置は、圧縮機、室外熱交換器、室外送風機、四方弁を有する室外機と、室内熱交換器、室内送風機を有する室内機とを接続し、室内機は複数台並列に接続され、室外機の冷媒液管から室内熱交換器の間に電動膨張弁を介装して冷凍サイクルを構成する多室型空気調和装置であって、定格冷凍能力が設定されている室内機容量設定装置と、吸込み温度を検出する室内吸込み温度検知装置と、運転モード設定装置で設定した設定温度を記憶する運転モード記憶装置とを備え、室内吸込み温度検知装置で検知される温度と運転モード記憶装置で記憶されている設定温度との差温が、所定の温度差である場合に圧縮機を停止するとともに、室内吸込み温度検知装置で検知する温度と室内機容量設定装置に設定されている定格冷凍能力とに基づいて、所定の温度差を変更することにより、室内温度が比較的高くかつ高圧が上がりやすい状態の室内機を快適性に影響にない範囲内で優先的に停止し、他室の快適性の影響を回避することが可能となり、機器の快適性が向上する。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の冷凍サイクル図の１例であり、図２は制御ブロック図、図３はフローチャート図、図４は、同空気調和装置が設置された室内の温度と設定温度との差温と差温信号との関係を示す図、図５は、同空気調和装置のサーモオフ点を示す図である。
【００１２】
図１は本実施の形態における多室型空気調和装置の構成を示す図であるが、１台の室外機１に対して複数台（本実施の形態では２台とするが、これに限定されることは無い）の室内機７ａ、７ｂが接続されている場合を示している。図１において、室外機１にはインバータ駆動の容量（周波数）可変形の圧縮機２と、室外熱交換器３と、室外送風機４と、冷暖房切換用の四方弁５とが設けられる。
【００１３】
一方、室内機７ａ、７ｂには、室内送風機８ａ、８ｂと、室内熱交換器９ａ、９ｂがそれぞれ設けられていて、室外機１と室内機７ａ、７ｂは接続配管により液側接続部１６ｃ、１６ｄとガス側接続部１７ｃ、１７ｄで接続されている。
【００１４】
また、液側接続部１６ｃ、１６ｄは冷媒液側主管１４より分岐した液側分岐管１４ａ、１４ｂと、ガス側接続部１７ｃ、１７ｄは冷媒ガス側主管１５より分岐したガス側分岐管１５ａ、１５ｂとで接続されており、液側分岐管１４ａ、１４ｂとガス側分岐管１５ａ、１５ｂには、例えばステッピングモータ等により弁開度をパルス制御可能な電動膨張弁６ａ、６ｂがそれぞれ介装されている。
【００１５】
また、室内機７ａ、７ｂには、室内機７ａ、７ｂの定格運転容量を記憶する室内機容量設定装置１１ａ、１１ｂ、居住者が希望する運転モード（冷房、除湿または暖房）の設定と、室温設定、運転開始あるいは停止を指示できる運転設定装置１０ａ、１０ｂが設けられている。
【００１６】
上記構成の冷凍サイクルにおいて、冷房あるいは除湿運転時は、圧縮機２から吐出された冷媒は四方弁５を介して室外熱交換器３へと流れ、室外送風機４の駆動により室外熱交換器３で室外空気と熱交換して凝縮液化する。
【００１７】
そして、冷媒液側主管１４を通り液側分岐管１４ａ、１４ｂにて冷媒分配させ電動膨張弁６ａ、６ｂで複数の室内機に分配された冷媒を流量制御して室内機７ａ、７ｂで蒸発した後に、ガス側分岐管１５ａ、１５ｂから冷媒ガス側主管１５に合流して四方弁５を介して再び圧縮機２に吸入される。
【００１８】
この電動膨張弁６ａ、６ｂは室内の負荷に見合った開度となるようにステッピングモータ等によりパルス制御されるため、冷媒も室内負荷に応じた流量で制御される。
【００１９】
一方、暖房運転時は、圧縮機２から吐出された冷媒は四方弁５を介して室内熱交換器９ａ、９ｂへと流れ、室内送風機８ａ、８ｂの駆動により室内熱交換器９ａ、９ｂで室内空気と熱交換して凝縮液化し、液側分岐管１４ａ、１４ｂを通り、電動膨張弁６ａ、６ｂで流量制御され、合流後、室外熱交換器３で蒸発した後に四方弁５を介して再び圧縮機２に吸入される。
【００２０】
次に、本発明の制御の流れについて図２、３を用いて説明する。
【００２１】
まず、本実施の形態における運転設定装置１０ａ、１０ｂは、居住者が希望する運転モード切替スイッチ１７ａ、１７ｂ（冷房、ドライ、送風または暖房）と、室内温度設定スイッチ１８ａ、１８ｂと、運転停止スイッチ１６ａ、１６ｂと、風量設定スイッチ１９ａ、１９ｂと、風向設定スイッチ２０ａ、２０ｂとで構成されている。
【００２２】
また、本発明の空気調和機の制御装置２１には、運転設定装置１０ａ、１０ｂの信号を記憶する運転モード記憶装置２２と、室内の吸い込み温度と室内温度設定値の差温により室内機７ａ、７ｂの運転停止を行う差温設定装置２３と、室内吸込み温度検知装置１２ａ、１２ｂの信号をサンプリング時間毎受けて運転状況を判断する判定装置２４と、その信号により圧縮機２の駆動周波数や送風機の回転数を決定し、圧縮機２、室内送風機８、室外送風機４等のを行う出力リレー回路２５等を有している。
【００２３】
そして、居住者が運転設定装置１０ａ、１０ｂで暖房を選択し、温度設定Ｔａ（例えば、３２℃）で運転を開始すると（Ｓ１，Ｓ２）、室内機７ａ、７ｂは、室内吸い込み温度Ｔｈｉｎを検出し（Ｓ３）、室内温度設定スイッチ１８ａ、１８ｂで設定した値Ｔａと、室内吸込み温度検知装置１２ａ、１２ｂで検知するＴｈｉｎの差温ＴＸを計算し、ＴＸが差温設定装置２３で設定されている所定の温度差（例えば、図４に示すＴ９）より低い場合は、圧縮機２の運転を継続（Ｓ５）、高い場合は圧縮機２を停止するように制御されている。
【００２４】
しかしながら、室内機容量設定装置１１ａ、１１ｂで設定されている値が、室内容量判定装置２６の値より小さく（例えば、１．６ｋｗ）、（Ｓ６）かつ、室内吸い込み温度検知装置の値が室温設定装置２７の値より高い（例えば、２８℃）場合（Ｓ７）、差温設定装置の値をシフト（例えば、２℃）し（Ｓ１０）、室内容量の小さな室内機のみ早めに停止（サーモオフ）させるように制御する（図５）（Ｓ１１）
そしてこの構成によれば、室内容量設定装置と吸込み温度により差温を変更し、サーモオフすべき温度を変更することにより（室内容量が小さく、吸い込み温度が高い場合は早めにサーモオフする）、容量の小さな室内機の影響で暖房運転中の負荷変更時（運転開始や風量変化や設定温度変更時）に室内熱交換器温度(圧縮機高圧)が一時的に上昇し、この影響で圧縮機周波数が低下し、他室で運転中の室内機の能力が減少ることによる、快適性
の低下を回避でき、快適性が向上する空気調和装置が供給できる。
【産業上の利用可能性】
【００２５】
以上のように本発明にかかる多室型空気調和装置は、複数台接続された室内機のうち容量（能力）の小さな室内機を、快適性に影響のない範囲で早めに停止することにより、他室の快適性の影響を最小限に抑えることが可能となるので、ビル用マルチエアコン等の用途にも適用できる。
【符号の説明】
【００２６】
１  室外機
２  圧縮機
３  室外熱交換器
４  室外送風機
５  四方弁
７ａ、７ｂ  室内機
８ａ、８ｂ  室内送風機
９ａ、９ｂ  室内熱交換器
１０ａ、１０ｂ  運転設定装置
１１ａ、１１ｂ  室内機容量設定装置
１２ａ、１２ｂ  室内吸込み温度検知装置
２２  運転モード記憶装置
【図１】
2011257097.tif 000003
【図２】
2011257097.tif 000004
【図３】
2011257097.tif 000005
【図４】
2011257097.tif 000006
【図５】
2011257097.tif 000007